【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
回転シャフトを含むハウジングに取り付けられる分割メカニカルシールであって、
前記ハウジングに取り付けられると共にチャンバを形成するよう構成されたグランド組立品であって、グランド溝が形成された上部表面を含み、前記グランド溝が前記上部表面から軸方向外側へ延伸した少なくとも1つの隆起壁部により少なくとも部分的には構成された、グランド組立品と、
前記グランド組立品の前記チャンバ内に収容されると共にそれに結合された固定シールリングであって、密封表面及び対向する軸方向外側の上部表面を備えた固定シールリングと、
前記グランド組立品と協力密封関係となるように前記チャンバ内に配置され且つ位置決めされたホルダ組立品であって、空間を画定し、前記シャフトと共に回転可能なホルダ組立品と、
前記ホルダ組立品の前記空間内に配置されると共にそれに結合された回転シールリングとを含むことを特徴とする、分割メカニカルシール。
【請求項２】
前記隆起壁部は、前記上部表面から軸方向外側に延伸した複数の円周方向に離間した不連続的な隆起壁部を含む、請求項1に記載の分割メカニカルシール。
【請求項３】
前記複数の隆起壁部は、前記グランド組立品の内周に沿って配置されると共に第1の直径を備えた複数の第1隆起壁部と、前記グランド組立品の外周に沿って配置されると共に第2の直径を備えた複数の第2隆起壁部とを備え、前記第2の直径は前記第1の直径より大きい、請求項2に記載の分割メカニカルシール。 
【請求項４】
前記複数の第１隆起壁部は、前記複数の第2隆起壁部と放射状に位置合わせされている、請求項3に記載の分割メカニカルシール。
【請求項５】
前記グランド組立品に結合された付勢クリップ組立品であって、動作時に軸方向で下方向の付勢力を前記固定シールリング及び前記回転シールリングに作用させて、前記固定シールリングの前記密封表面を前記回転シールリングの密封表面に密封接触させる付勢部材をさらに含む、請求項2に記載の分割メカニカルシール。
【請求項６】
前記グランド組立品の前記上部表面は、隣接する隆起壁部の間に形成された付勢部材係合部をさらに含み、前記付勢部材係合部には切り欠き部が形成されている、請求項2に記載の分割メカニカルシール。
【請求項７】
前記付勢部材は前記グランド組立品に結合された付勢クリップ組立品を含み、前記付勢クリップ組立品は、前記グランド組立品に取り付けられると、前記切り欠き部に結合且つ収容される第1端部と、前記付勢クリップ係合部に収容され且つ係合する第2の反対端部とを備える、請求項6に記載の分割メカニカルシール。
【請求項８】
前記固定シールリングの前記上部表面は、その内部に形成された複数の凹部を含み、前記固定シールリングは内側表面及び外側表面を備え、前記内側表面には溝が形成されている、請求項6に記載の分割メカニカルシール。 
【請求項９】
前記グランド組立品及び前記固定シールリングに結合された付勢クリップ組立品をさらに含み、前記付勢クリップ組立品は、前記グランド組立品に結合された第１端部と、前記付勢クリップ係合部及び前記複数の凹部の何れかに収容され且つ係合する第2の反対端部とを備え、前記付勢クリップ組立品は、前記固定シールリングの前記内側表面に沿って形成された前記溝にさらに結合される、請求項8に記載の分割メカニカルシール。
【請求項１０】
前記グランド溝に収容されるようサイズ決め且つ構成された可動ばね係合機構をさらに含み、前記可動ばね係合機構は、複数の離間した表面特徴を備えた弓形本体を含む、請求項1に記載の分割メカニカルシール。
【請求項１１】
前記回転シールリングは、
少なくとも1つの非平坦で軸方向に延伸する端面を備えた第1シールリング区分と、
少なくとも1つの非平坦で軸方向に延伸する端面を備えた第2シールリング区分と、
前記第1シールリング区分の前記非平坦で軸方向に延伸する端面は、組み付けられると、前記第2シールリング区分の前記非平坦で軸方向に延伸する端面に対面する関係で配置され、
前記非平坦端面は、互いに対面すると補完的形状を備える、請求項1に記載の分割メカニカルシール。
【請求項１２】
前記第1シールリング区分は、第1及び第2の非平坦で軸方向に延伸する端面を備え、前記第1非平坦端面は、前記第2非平坦端面の形状とは異なる形状を備えている、請求項11に記載の分割メカニカルシール。
【請求項１３】
回転シャフトを含むハウジングに取り付けられる分割メカニカルシールであって、
前記ハウジングに取り付けられると共にチャンバを形成するよう構成されたグランド組立品と、
前記グランド組立品の前記チャンバ内に収容されると共にそれに結合された固定シールリングであって、
密封表面と、
前記密封表面に対向して配置された軸方向外側の上部表面と、
内側表面と、
前記内側表面に形成された溝とを含む固定シールリングと、
前記グランド組立品と協力密封関係となるように前記チャンバ内に配置され且つ位置決めされたホルダ組立品であって、空間を画定し、前記シャフトと共に回転可能なホルダ組立品と、
前記ホルダ組立品の前記空間内に配置されると共にそれに結合された回転シールリングとを含むことを特徴とする、分割メカニカルシール。
【請求項１４】
前記固定シールリングの上部表面は、その内部に形成された複数の凹部を備えた、請求項13に記載の分割メカニカルシール。
【請求項１５】
前記グランド組立品の上部表面は、該上部表面から軸方向外側に延伸する、隣接し、離間し、不連続的な隆起壁部の間に形成された付勢部材係合部をさらに含み、前記付勢部材係合部には切り欠き部が形成されており、前記メカニカルシールは、前記グランド組立品と前記固定シールリングとに結合される付勢部材をさらに含み、前記付勢部材は、前記グランド組立品に結合される第1端部と、前記付勢部材係合部及び前記複数の凹部の何れかに収容され且つ係合する第2の反対端部とを備え、前記付勢部材は、前記固定シールリングの前記内側表面に沿って形成された前記溝にさらに結合される、請求項14に記載の分割メカニカルシール。
【請求項１６】
前記グランド組立品の軸方向最外部と前記固定シールリングとに結合可能な付勢部材をさらに含み前記付勢部材は付勢クリップ組立品を含み、該付勢クリップ組立品は、
第1内側ばねクリップ部材と、
前記第1内側ばねクリップ部材に被せて取り付けられるようサイズ決め且つ構成されている第2外側ばねクリップ部材とを備えた、請求項14に記載の分割メカニカルシール。
【請求項１７】
回転シャフトを含むハウジングに取り付けられる分割メカニカルシールであって、
前記ハウジングに取り付けられると共にチャンバを形成するよう構成されたグランド組立品であって、グランド溝が形成された上部表面を含むグランド組立品と、
前記グランド組立品の前記チャンバ内に収容されると共にそれに結合された固定シールリングであって、密封表面及び対向する軸方向外側の上部表面を備えた固定シールリングと、
前記グランド組立品と協力密封関係となるように前記チャンバ内に配置され且つ位置決めされたホルダ組立品であって、空間を画定し、前記シャフトと共に回転可能なホルダ組立品と、
前記ホルダ組立品の前記空間内に配置されると共にそれに結合された回転シールリングとを含み、
前記グランド内に取りつけられ且つそこで移動できるようサイズ決め且つ寸法決めされた可動ばね係合機構と、
弓形の本体と、
前記本体に関連付けられた離間した複数の表面特徴とを含むことを特徴とする、分割メカニカルシール。
【請求項１８】
前記可動ばね係合機構は、前記複数の表面特徴の1つ又は複数が付勢部材に係合してクリップ組立品によって前記固定シールリングにかけられた付勢力を除去する係合位置と、前記表面特徴が前記付勢部材との接触を解除されることで前記付勢クリップ組立品が軸方向付勢力を前記固定シールリングにかけることが可能な分離位置との間を、前記グランド溝内において移動できる、請求項17に記載の分割メカニカルシール。